(57)【要約】【課題】  レーザ光を用いて可視画像を記録できるレーベル面に対するフォーカシングを容易に行えると共に、レーベル面上のレーザ光位置を正確に制御できる光ディスク、光ディスク装置、及び画像記録方法を提供する。【解決手段】  光ディスク１００は情報記録型光ディスクであって、レーザ光により情報を示す記録マークが形成される情報記録層２を含むディスク基板１と、前記ディスク基板上に該ディスク基板と同心円で形成され、可視画像を記録可能なレーベル記録層５と、前記レーベル記録層より内周側又は外周側に設けられ、ディスク周方向に形成された反射面を有する複数のトラックを含む反射帯とを具備する。【選択図】    図１
2005346746.tif 000002
【特許請求の範囲】
【請求項１】
レーザ光を用いて可視画像を片面に記録可能な情報記録型光ディスクであって、
レーザ光により情報を示す記録マークが形成される情報記録層を含むディスク基板と、
前記ディスク基板上に形成され、可視画像を記録可能なレーベル記録層と、
前記レーベル記録層より内周側又は外周側に設けられ、ディスク周方向に形成された反射面を有する複数のトラックを含む反射帯と、
を具備することを特徴とする光ディスク。
【請求項２】
前記トラックのピッチは、１０〜５０μｍの範囲内に設定されていることを特徴とする請求項１記載の光ディスク。
【請求項３】
前記反射帯の表面には、前記ディスク周方向に形成された複数の溝を含むことを特徴とする請求項１記載の光ディスク。
【請求項４】
前記溝の深さは、前記レーザ光の波長をλとすると、λ／４〜λ／８に設定されていることを特徴とする請求項３記載の光ディスク。
【請求項５】
可視画像をレーザ光を用いて記録可能なレーベル記録層及び該レーベル記録層より内周側又は外周側に該ディスク周方向に形成された反射面を有する複数のトラックを含む反射帯が形成されたレーベル記録面、及び情報がトラック上の記録マークとして形成される情報記録面とを有する光ディスクに対して情報を記録再生する光ディスク装置であって、
レーザ光を前記ディスクの前記反射帯上に移動してフォーカスサーボを行う手段と、
前記フォーカスサーボ中のフォーカス駆動指示値をメモリに記録し、記録したフォーカス駆動指示値を用いてフィードフォワード制御を行う手段と、
前記フィードフォワード制御をかけた状態で和信号が最大になるように指示電圧にオフセットを加える手段と、
前記反射帯においてトラックジャンプし、トラッキング駆動力とレーザ光の移動距離との関係を判断する手段と、
前記トラッキング駆動力とレーザ光の移動距離との関係に基づいて、レーベル面におけるピックアップ位置制御を行う手段と、
印刷用画像データに応じたパワーでレーザ光を発生し、レーベル面上に可視画像を記録する手段と、
を具備することを特徴とする光ディスク装置。
【請求項６】
可視画像をレーザ光を用いて記録可能なレーベル記録層及び該レーベル記録層より内周側又は外周側に該ディスク周方向に形成された反射面を有する複数のトラックを含む反射帯が形成されたレーベル記録面、及び情報がトラック上の記録マークとして形成される情報記録面とを有する光ディスクに対して情報を記録再生する光ディスク装置における前記可視画像を前記レーベル記録層に記録する方法であって、
レーザ光を前記ディスクの前記反射帯上に移動してフォーカスサーボを行うステップと、
前記フォーカスサーボ中のフォーカス駆動指示値をメモリに記録し、記録したフォーカス駆動指示値を用いてフィードフォワード制御を行うステップと、
前記フィードフォワード制御をかけた状態で和信号が最大になるように指示電圧にオフセットを加えるステップと、
前記反射帯においてトラックジャンプし、トラッキング駆動力とレーザ光の移動距離との関係を判断するステップと、
前記トラッキング駆動力とレーザ光の移動距離との関係に基づいて、レーベル面におけるピックアップ位置制御を行うステップと、
印刷用画像データに応じたパワーでレーザ光を発生し、レーベル面上に可視画像を記録するステップと、
を具備することを特徴とする画像記録方法。
【発明の詳細な説明】
【技術分野】
【０００１】
本発明は、ディスク片面上にレーザ光を用いて可視画像を記録可能なレーベル記録層を有する光ディスクに関する。
【背景技術】
【０００２】
周知のように近年では、情報記録メディアとしてＣＤやＤＶＤのような光ディスクが普及している。ＣＤとしては、再生専用のＣＤ−ＲＯＭ、追記可能なＣＤ−Ｒ、書換え可能なＣＤ−ＲＷ等があり、ＤＶＤとしては再生専用のＤＶＤ−ＲＯＭ、追記可能なＤＶＤ−Ｒ、書換え可能なＤＶＤ−ＲＡＭ、ＤＶＤ−ＲＷ等がある。記録型光ディスクつまり追記可能又は書換え可能な光ディスクは情報記録層を有し、該情報記録層の記録容量は例えばＣＤ−Ｒの場合は７００ＭＢ程度、ＤＶＤ−Ｒ等の場合は４．７ＧＢ程度である。
【０００３】
記録型光ディスクの情報記録層側の面とは反対側のレーベル面には、光ディスクの種類等を示す文字あるいはロゴが例えばシルク印刷される。又、インクジェットプリンタ又は手書きで文字や絵を記録できるレーベル面を有する光ディスクも普及している。
【０００４】
最近では、レーベル面に絵や文字をレーザ光を用いて記録できる光ディスク及び光ディスク装置が下記特許文献１及び非特許文献１のように公開されている。
【特許文献１】特開２００２−２０３３２１号公報
【非特許文献１】インターネットＵＲＬ：  http://www.hp.com/hpinfo/newsroom/press_kits/2004/ces/prodserv.html
【発明の開示】
【発明が解決しようとする課題】
【０００５】
情報記録可能な光ディスク装置で、上記したようなレーザ光による印刷が可能なレーベル面に、文字や絵を印刷する場合、レーベル面の反射率は一般に低いので、充分なＳ／Ｎを有するフォーカスエラー信号が得られず、フォーカシングを容易に行うことができない。又、レーベル面にはトラックが存在しないため、トラッキングサーボを行うことができない。つまり、レーベル面上のレーザ光位置を正確に制御することができず、印刷画像の位置的精度を上げることができない。従って、レーベル面に印刷された画像が、例えばディスクに対して偏心することがある。
【０００６】
本発明は、レーザ光を用いて可視画像を記録できるレーベル面に対するフォーカシングを容易に行えると共に、レーベル面上のレーザ光位置を正確に制御できる光ディスク、光ディスク装置、及び画像記録方法を提供することを目的とする。
【課題を解決するための手段】
【０００７】
本発明の一実施形態に係る光ディスクは、レーザ光を用いて可視画像を片面に記録可能な情報記録型光ディスクであって、レーザ光により情報を示す記録マークが形成される情報記録層を含むディスク基板と、前記ディスク基板上に該ディスク基板と同心円で形成され、可視画像を記録可能なレーベル記録層と、前記レーベル記録層より内周側又は外周側に設けられ、ディスク周方向に形成された反射面を有する複数のトラックを含む反射帯とを具備する。
【０００８】
本発明の光ディスク装置は、可視画像をレーザ光を用いて記録可能なレーベル記録層及び該レーベル記録層より内周側又は外周側に該ディスク周方向に形成された反射面を有する複数のトラックを含む反射帯が形成されたレーベル記録面、及び情報がトラック上の記録マークとして形成される情報記録面を有する光ディスクに対して情報を記録再生する光ディスク装置であって、レーザ光を前記ディスクの前記反射帯上に移動してフォーカスサーボを行う手段と、前記フォーカスサーボ中のフォーカス駆動指示値をメモリに記録し、記録したフォーカス駆動指示値を用いてフィードフォワード制御を行う手段と、前記フィードフォワード制御をかけた状態で和信号が最大になるように指示電圧にオフセットを加える手段と、前記反射帯においてトラックジャンプし、トラッキング駆動力とレーザ光の移動距離との関係を判断する手段と、前記トラッキング駆動力とレーザ光の移動距離との関係に基づいて、レーベル面におけるピックアップ位置制御を行う手段と、印刷用画像データに応じたパワーでレーザ光を発生し、レーベル面上に可視画像を記録する手段とを具備する。
【０００９】
本発明の画像記録方法は、可視画像をレーザ光を用いて記録可能なレーベル記録層及び該レーベル記録層より内周側又は外周側に該ディスク周方向に形成された反射面を有する複数のトラックを含む反射帯が形成されたレーベル記録面、及び情報がトラック上の記録マークとして形成される情報記録面を有する光ディスクに対して情報を記録再生する光ディスク装置における前記可視画像を前記レーベル記録層に記録する方法であって、レーザ光を前記ディスクの前記反射帯上に移動してフォーカスサーボを行うステップと、前記フォーカスサーボ中のフォーカス駆動指示値をメモリに記録し、記録したフォーカス駆動指示値を用いてフィードフォワード制御を行うステップと、前記フィードフォワード制御をかけた状態で和信号が最大になるように指示電圧にオフセットを加えるステップと、前記反射帯においてトラックジャンプし、トラッキング駆動力とレーザ光の移動距離との関係を判断するステップと、前記トラッキング駆動力とレーザ光の移動距離との関係に基づいて、レーベル面におけるピックアップ位置制御を行うステップと、印刷用画像データに応じたパワーでレーザ光を発生し、レーベル面上に可視画像を記録するステップとを具備する。
【発明の効果】
【００１０】
レーザ光を用いて可視画像を記録できるレーベル面に対するフォーカシングを容易に行えると共に、レーベル面上のレーザ光位置を正確に制御できる光ディスク、光ディスク装置、及び画像記録方法が提供される。
【発明を実施するための最良の形態】
【００１１】
図１は本発明の一実施形態に係る情報記録型光ディスク１００の構造を示す図であり、図１（ａ）は平面図、図１（ｂ）は断面図である。
【００１２】
光ディスク１００は情報記録型ディスクであって、ディスクの一方の側に情報記録面を有し、他方の側にレーベル面を有する。図１（ａ）は光ディスク１００をレーベル面から見た図である。ディスク１００のレーベル面側には、レーベル記録層５がディスク１００と例えば同心円で形成されている。レーベル記録層５は光ディスク装置のレーザを用いて可視画像の印刷が可能である。レーベル記録層５より内周、つまりレーベル記録層５とクランプエリア６の間には反射帯３ａが設けられ、レーベル記録層５より外周側には反射帯３ｂが、共に光ディスク１００と同心円で形成されている。
【００１３】
図１（ｂ）のように、基板１上に情報記録層２が形成され、その上に反射層３が形成される。この情報記録層２はレーザ光により情報を示す記録マークを形成可能な層である。反射層３を覆うように保護膜４が形成され、その上にレーベル記録層5が形成される。
【００１４】
ＤＶＤ−Ｒのような追記可能光ディスクは、レーザ照射部分の反射率が永久変化する色素を含む情報記録層２を有し、レーザ光を用いて情報を示す記録マークが形成され、情報の記録再生が行われる。ＤＶＤ−ＲＡＭ又はＤＶＤ−ＲＷのような書換え可能な光ディスクは、レーザ照射により相変化する情報記録層２を有し、レーザ光を用いて情報を示す記録マークが形成され、情報の記録再生及び書換えが行われる。これはＣＤ−Ｒ、ＣＤ−ＲＷの場合も同様である。
【００１５】
図２は、本発明の特徴である反射帯３ａ（図１（ｂ）で楕円で示した部分）の第１実施形態の構造を示す拡大図である。基板１のレーベル面側の反射帯の領域に、深さＤ、ピッチＰの溝３ｃがディスク１００と同心円又はスパイラル状に設けられ、それに反射材を蒸着して反射帯とした構造である。隣り合う溝３ｃの間に形成される凸部３ｄ及び（又は）溝３ｃは、ディスクの偏心ならびにレーザ光をディスク半径方向に移動するアクチュエータの駆動特性等を調べるためのトラックとして形成されている。グルーブ領域８は、光ディスク１００の情報記録面側（図中下側）から情報を記録するための情報トラックとしてグルーブが形成された領域である。
【００１６】
図３は、本発明の特徴である反射帯３ａ（図１（ｂ）で楕円で示した部分）の第２実施形態の構造を示す拡大図である。反射材からなるピッチＰのトラック３ｅが基板上に形成されている。トラック３ｅは基板のレーベル面側に反射層３の反射材を蒸着するときに、例えばマスキング又は印刷処理を用いて形成される。この場合、高反射トラック３ｅと基板１による低反射トラック３ｆがディスク半径方向に交互に設けられる。
【００１７】
図４は、フォーカスエラー信号と反射光信号の関係を示す特性図である。
【００１８】
光ディスク装置では、レーザ光が一定の厚さのメディアを通過して記録層表面に到達した点で収差がキャンセルされるように光学設計されている。従って、本発明の反射帯のようにディスクの表面にレーザ光を当てた時は収差が悪化して、スポットが１０〜５０μｍになる。そのため、前記ピッチＰは１０〜５０μｍに設定し、前記深さＤはレーザ光の波長をλとすると、λ／４〜λ／８に設定する。
【００１９】
次に本発明に係る光ディスク１００のレーベル面に対するフォーカシング及びトラッキングに対いて説明する。
【００２０】
図５は本発明が適用される光ディスク記録再生装置の構成を示すブロック図である。
【００２１】
光ディスク１００の表面にはスパイラル状にランドトラック及びグルーブトラックが形成されており、このディスク１００はスピンドルモータ６３によって回転駆動される。スピンドルモータ６３に設けられた回転検出器６３ａからはＦＧパルスが提供される。ＦＧパルスはスピンドルモータ６３が１回転すると、例えば５パルス発生する。このＦＧパルスからスピンドルモータ６３の回転角度及び回転数を判断できる。
【００２２】
光ディスク１００に対する情報の記録、再生は、光ピックアップ６５によって行われる。光ピックアップ６５は、スレッドモータ６６とギアを介して連結されており、このスレッドモータ６６はスレッドモータ制御回路６８により制御される。
【００２３】
スレッドモータ制御回路６８に速度検出回路６９が接続され、この速度検出回路６９により検出される光ピックアップ６５の速度信号がスレッドモータ制御回路６８に送られる。スレッドモータ６６の固定部に、図示しない永久磁石が設けられており、駆動コイル６７がスレッドモータ制御回路６８によって励磁されることにより、光ピックアップ６５が光ディスク１００の半径方向に移動する。
【００２４】
光ピックアップ６５には、図示しないワイヤ或いは板バネによって支持された対物レンズ７０が設けられている。対物レンズ７０は駆動コイル７２の駆動によりフォーカシング方向（レンズの光軸方向）への移動が可能で、又駆動コイル７１の駆動によりトラッキング方向（レンズの光軸と直交する方向）への移動が可能である。
【００２５】
変調回路７３は情報記録時にホスト装置９４からインターフェース回路９３を介して供給されるユーザデータを例えば８−１４変調（ＥＦＭ）して、ＥＦＭデータを提供する。レーザ制御回路７５は情報記録時（マーク形成時）に、変調回路７３から供給されるＥＦＭデータに基づいて、書き込み用信号をレーザダイオード７９に提供する。又、レーザ制御回路７５は情報読取り時に、前記書き込み信号より小さい読取り用信号をレーザダイオード７９に提供する。
【００２６】
フォトダイオードにより構成されるフロントモニターＦＭはレーザダイオード７９が発生するレーザ光の光量つまり発光パワーを検出し、検出電流をレーザ制御回路７５に供給する。レーザ制御回路７５はフロントモニターＦＭからの検出電流に基づいて、ＣＰＵ９０により設定された再生時レーザパワー及び記録時レーザパワーで発光するように、レーザダイオード７９を制御する。
【００２７】
レーザダイオード７９はレーザ制御回路７５から供給される信号に応じてレーザ光を発生する。レーザダイオード７９から発せられるレーザ光は、コリメータレンズ８０、ハーフプリズム８１、対物レンズ７０を介して光ディスク１００上に照射される。光ディスク１００からの反射光は、対物レンズ７０、ハーフプリズム８１、集光レンズ８２、およびシリンドリカルレンズ８３を介して、光検出器８４に導かれる。
【００２８】
光検出器８４は、例えば４分割の光検出セルから成り、これら光検出セルの検知信号はＲＦアンプ８５に出力される。ＲＦアンプ８５は光検知セルからの信号を処理し、ジャストフォーカスからの誤差を示すフォーカスエラー信号ＦＥ、レーザ光のビームスポット中心とトラック中心との誤差を示すトラッキングエラー信号ＴＥ、及び光検知セル信号の全加算信号であるＲＦ信号を生成する。
【００２９】
フォーカスエラー信号ＦＥはフォーカシング制御回路８７に供給される。フォーカシング制御回路８７はフォーカスエラー信号ＦＥに応じてフォーカス駆動信号を生成する。フォーカス駆動信号はフォーカシング方向の駆動コイル７１に供給される。これにより、レーザ光が光ディスク１００の記録膜上に常時ジャストフォーカスとなるフォーカスサーボが行われる。
【００３０】
トラッキングエラー信号ＴＥはトラッキング制御回路８８に供給される。トラッキング制御回路８８はトラッキングエラー信号ＴＥに応じてトラック駆動信号を生成する。トラッキング制御回路８８から出力されるトラック駆動信号は、トラッキング方向の駆動コイル７２に供給される。これによりレーザ光が光ディスク１００上に形成されたトラック上を常にトレースするトラッキングサーボが行われる。
【００３１】
上記フォーカスサーボおよびトラッキングサーボがなされることで、光検出器８４の各光検出セルの出力信号の全加算信号ＲＦには、記録情報に対応して光ディスク１００のトラック上に形成されたピットなどからの反射光の変化が反映される。この信号は、データ再生回路７８に供給される。データ再生回路７８は、ＰＬＬ回路７６からの再生用クロック信号に基づき、記録データを再生する。
【００３２】
上記トラッキング制御回路８８によって対物レンズ７０が制御されているとき、スレッドモータ制御回路６８により、対物レンズ７０がＰＵＨ６５内の所定位置近傍に位置するようスレッドモータ６６つまりＰＵＨ６５が制御される。
【００３３】
モータ制御回路６４、スレッドモータ制御回路６８、レーザ制御回路７３、ＰＬＬ回路７６、データ再生回路７８、フォーカシング制御回路８７、トラッキング制御回路８８、エラー訂正回路６２等は、バス８９を介してＣＰＵ９０によって制御される。ＣＰＵ９０はインターフェース回路９３を介してホスト装置９４から提供される動作コマンドに従って、この記録再生装置を総合的に制御する。又ＣＰＵ９０は、ＲＡＭ９１を作業エリアとして使用し、ＲＯＭ９２に記録された本発明によるプログラムを含む制御プログラムに従って所定の動作を行う。
【００３４】
以下、本発明に係る表面粗度の悪いディスク表面（レーベル面）に対するレーザ光のフォーカス制御及びトラッキング制御について説明する。
【００３５】
前述のように光ディスク装置では、レーザ光が一定の厚さのメディアを通過して記録層表面に到達した点で収差がキャンセルされるように光学設計されている。従って、ディスクのレーベル面の表面にレーザ光を当てた時は、図４に示すように球面収差によってフォーカスエラー信号の０点と和信号最大ポイント（これが所望のジャストフォーカス点）とが異なる。和信号最大ポイントはフォーカスエラー信号特性のＳ字端にあるため、フォーカスエラー信号を用いて和信号最大点にサーボをかけることはできない。この結果、レーベル面に鮮明な文字や絵等の像を印刷することができない。
【００３６】
そこで、表面粗度の悪いディスクの表面に対して、レーザ光の焦点を合わせる際、反射帯３ａ又は３ｂのようにディスク上に設けられた表面粗度が良く、反射率の高い部分に移動し、フォーカスエラー信号を用いてフィードバック制御をかける。サーボゲイン調整、各種信号のオフセット調整等をこの状態で行う。又、フィードバック制御させた状態でフォーカス駆動指示値をメモリに取り込み、その後はフィードバック制御をＯＦＦにし、メモリの値を用いてフィードフォワード制御を行う。フィードフォワード制御をかけた状態で和信号が最大になるように指示電圧にオフセットを加えることでフォーカスＳ字０点と和信号最大点との差分をキャンセルする。
【００３７】
又、トラッキングサーボにおけるアクチュエータ駆動力からディスクの偏心を測定し、トラックジャンプをすることにより、ディスク上でのレーザ光の移動距離とトラッキング駆動力との関係を学習する。測定したディスクの偏心、及びレーザ光の移動距離とトラッキング駆動力との関係に基づいて、印刷時のレーベル面におけるピックアップ位置制御を行う。
【００３８】
以下、本発明による動作の一実形態を詳細に説明する。図６は表面粗度の悪いディスクの表面つまりレーベル面に対して、レーザ光の焦点を合わせトラッキングを行い、可視画像を記録する動作を示すフローチャートである。このフローチャートの各ステップは、ＣＰＵ９０が図５に示すような光ディスク装置内の対応するブロックを制御することにより実行される。先ず、光ディスク１００はレーベル面を下（ピックアップ側）にして光ディスク装置に装着されて、ホスト装置９４から印刷用画像データがＲＡＭ９１に格納されているものとする。
【００３９】
ＳＴ１１：  最初にディスク上に用意された表面粗度が良く、反射率の高い部分に移動し、フォーカスエラー信号を用いてフィートバック制御をかける。サーボゲイン調整、各種信号のオフセット調整等をこの状態で行う。
【００４０】
ＳＴ１２：  フォーカスエラー信号をカットオフ周波数５ｋＨｚ以下のＬＰＦを通してサーボに用いる。
【００４１】
ＳＴ１３：  フィードバック制御させた状態でフォーカス駆動指示値をメモリに取り込み、その後はフィードバック制御をＯＦＦにし、メモリの値を用いてフィードフォワード制御を行う。メモリに取り込む際はディスク表面の凹凸に追従した成分を除外するため、カットオフ１ｋＨｚ以下のＬＰＦを通す。
【００４２】
ＳＴ１４：  フィードフォワード制御をかけた状態で和信号が最大になるように指示電圧にオフセットを加える。
【００４３】
ＳＴ１５：  表面粗度が良い部分でフォーカスエラー信号０点と和信号最大とのフォーカス指示電圧の違いを学習しておき、表面粗度が悪い部分での補正に用いる。
【００４４】
ＳＴ１６：  トラッキングサーボにおけるアクチュエータ駆動力からディスクの偏心を測定する。
【００４５】
ＳＴ１７：  トラックジャンプをすることにより、ディスク上でのレーザ光の移動距離とトラッキング駆動力との関係を学習する。
【００４６】
ＳＴ１８  反射率の高い部分と低い部分とで、信号振幅が略同一になるようにレーザパワーを変える。
【００４７】
ＳＴ１９：  表面粗度の悪いレーベル面のサーボゲインは、フォーカス信号振幅または和信号振幅を、サーボゲイン調整を実施した個所と表面粗度の悪い部分とで比較し、振幅に応じてサーボゲインを増減することで調整する。
【００４８】
ＳＴ２０：  新たなポイントでフォーカス制御信号を取り込む際は、フォーカスエラー信号を用いたフィードバック制御を再実行する。引き込み動作の際はフィードフォワード信号は引き続き出した状態でフォーカスサーチ駆動電圧をアクチュエータに加えてアクチュエータを上下させ、フォーカスポイントでフォーカスサーボをＯＮしてサーボをかける。
【００４９】
ＳＴ２１：測定したディスクの偏心、及びレーザ光の移動距離とトラッキング駆動力との関係に基づいて、印刷時のレーベル面におけるピックアップ位置制御を行う。
【００５０】
ＳＴ２２：  ＲＡＭ９１から印刷用画像データを読み出し、ＦＧパルスを基にディスクの回転角を確認しながら、印刷用画像データに応じたパワーでレーザ光を発生し、レーベル面上に文字や絵の可視画像を記録する。
【００５１】
尚、可視画像記録中に、ＳＴ１１からＳＴ１７の動作を所定時間おきに繰り返し、フォーカスとトラッキングに関する学習データを更新し、最新の学習データを用いてフォーカス及びピックアップ値を制御してもよい。
【００５２】
このように本発明にれば、レーザ光を用いて可視画像を記録できるレーベル面に対するフォーカシング及びピックアップの位置制御を容易に行える光ディスク及び光装置が提供される。
【００５３】
以上の説明はこの発明の実施の形態であって、この発明の装置及び方法を限定するものではなく、様々な変形例を実施することができる。そのような変形例も本発明に含まれるものである。又、各実施形態における構成要素、機能、特徴あるいは方法を適宜組み合わせて構成される装置又は方法も本発明に含まれるものである。
【図面の簡単な説明】
【００５４】
【図１】本発明の一実施形態に係る光ディスクの構造を示す図である。
【図２】本発明に係る反射帯３ａの第１実施形態の構造を示す拡大図である。
【図３】本発明に係る反射帯３ａの第２実施形態の構造を示す拡大図である。
【図４】フォーカスエラー信号と反射光信号の関係を示す特性図である。
【図５】本発明が適用される光ディスク記録再生装置の構成を示すブロック図である。
【図６】レーベル面に対してレーザ光の焦点を合わせトラッキングを行い、可視画像を記録する動作を示すフローチャートである。
【符号の説明】
【００５５】
１…基板、２…情報記録層、３反射層、４…保護膜、５レーベル記録層、６…クランプエリア、７…孔、６３…スピンドルモータ、７０…対物レンズ、７１、７２…レンズ駆動コイル、７９…レーザダイオード、８０…コリメータレンズ、８１…ハーフプリズム、８２…集光レンズ、８３…シリンドリカルレンズ、ＦＭ…フロントモニタ、１００…光ディスク。
【図１】
2005346746.tif 000003
【図２】
2005346746.tif 000004
【図３】
2005346746.tif 000005
【図４】
2005346746.tif 000006
【図５】
2005346746.tif 000007
【図６】
2005346746.tif 000008